(57)【要約】【課題】排水管の内部の汚れを確実に洗浄することのできる洗浄ノズルを提供する。【解決手段】通水路２１を有する筒状で、後半部がホース２に接続され、前半部の周壁に前記通水路２１に連通する孔部２２を穿設した主軸２０と、主軸２０の前半部に回転自在に嵌合し、内周面に孔部２２を介して通水路２１に連通する空間凹部３１を有するローター３０と、主軸２０の前半部に着脱自在に組付き、主軸２０の通水路２１を塞ぐストッパー４０とで構成する。ローター３０に、空間凹部３１から斜め後方に鋭角な傾斜角度αで穿設され、ローター３０に一方向への回転力と推進力を与える主噴射通路３２を設け、空間凹部３１から鋭角な傾斜角度αより大きな傾斜角度βで穿設され、ローター３０の一方向への回転力を抑制する副噴射通路３３を設けてある。【選択図】        図１
2006239637.tif 000002
【特許請求の範囲】
【請求項１】
排水管（１）の中を回転しながら前進し，高圧噴射水で前記排水管の内部を洗浄する洗浄ノズルであって、
通水路（２１）を有する筒状で，後半部がホース（２）に接続され，前半部の周壁に前記通水路に連通する孔部（２２）を穿設した主軸（２０）と、
前記主軸の前半部に回転自在に嵌合し，内周面の中央部分に前記孔部を介して前記通水路に連通する空間凹部（３１）を有するローター（３０）と、
前記主軸の前半部に着脱自在に組付き，前記主軸の通水路を塞ぐストッパー（４０）とからなり、
前記ローターに，前記空間凹部から斜め後方に鋭角な傾斜角度（α）で穿設され，該ローターに一方向への回転力と推進力を与える主噴射通路（３２）を一つまたは複数設けると共に，前記空間凹部から前記鋭角な傾斜角度より大きい傾斜角度（β）で穿設され，前記ローターの一方向への回転力を抑制する副噴射通路（３３）を設けてなる排水管洗浄ノズル。
【請求項２】
排水管（１）の中を回転しながら前進し，高圧噴射水で前記排水管の内部を洗浄する洗浄ノズルであって、
通水路（２１）を有する筒状で，後半部がホース（２）に接続され，前半部の周壁に前記通水路に連通する孔部（２２）を穿設した主軸（２０）と、
前記主軸の前半部に回転自在に嵌合し，内周面の中央部分に前記孔部を介して前記通水路に連通する空間凹部（３１）を有するローター（３０）と、
前記主軸の前半部に着脱自在に組付き，前記主軸の通水路を塞ぐストッパー（４０）とからなり、
前記ローターに，前記空間凹部から斜め後方に鋭角な傾斜角度（α）で穿設され，該ローターに一方向への回転力と推進力を与える主噴射通路（３２）を一つまたは複数設けると共に，前記空間凹部から前記鋭角な傾斜角度より大きな傾斜角度（β）で穿設され，前記ローターの一方向への回転力を抑制する副噴射通路（３３）を設け、
前記ローターとストッパーとの間にスペーサー（５０）を設け、
前記ストッパーの先端部に，前記ローターより小径で球形のガイド部（４１）を設けてなる排水管洗浄ノズル。
【請求項３】
ストッパー（４０）のガイド部（４１）に，曲折した排水管（１）内の通過を容易にすべく，案内部材（６０）を装着してなる請求項１または２に記載の排水管洗浄ノズル。
【発明の詳細な説明】
【技術分野】
【０００１】
本発明は、排水管内を回転しながら進み、その内部を噴射水によって洗浄することのできる排水管洗浄ノズルに関するものである。
【背景技術】
【０００２】
従来、家庭の排水管の内部を洗浄するための手段として、ホースの先端に、８個の噴射口を設けたノズルを取付け、その噴射口から噴射される高圧水の推進力で排水管内を前進移動すると共にその内部を洗浄するようにしたものがある。
【０００３】
また主軸に回転自在に嵌合したローターに、２つの噴出口を対称位置に設け、噴出口から噴出される高圧水により、ローターに回転力と推進力を与え、ローターを回転させながら前進移動させるものも知られている。
【発明の開示】
【発明が解決しようとする課題】
【０００４】
しかし、前者従来技術においては、噴射口から供給される噴射圧水が当たる部分は洗浄することができるものの、その他の部分には汚れが残存するといった問題がある。
【０００５】
また、従来技術にあっては、排水管内の多くの部分に噴射水を当てるために多数（８個）の噴射口を設けているため、各噴射口から供給される噴射水の圧力が必ずしも十分でなく、よって、噴射水が当たる部分でも汚れが残る場合がある。
【０００６】
また後者の従来技術においては、ローターの回転速度が過度に上昇すると、主軸からローターへ水が流れ難くなり、洗浄出来なくなると共に、推進力も喪失するのが避けられなかった。
【０００７】
本発明はこうした問題に鑑み創案されたもので、排水管の内部の汚れを確実に洗浄することのできる洗浄ノズルを提供することを課題とする。
【課題を解決するための手段】
【０００８】
図１乃至図７を参照して説明する。請求項１に記載の発明は、排水管１の中を回転しながら前進し、高圧噴射水で前記排水管１の内部を洗浄する洗浄ノズルであって、通水路２１を有する筒状で、後半部がホース２に接続され、前半部の周壁に前記通水路２１に連通する孔部２２を穿設した主軸２０と、前記主軸２０の前半部に回転自在に嵌合し、内周面の中央部分に前記孔部２２を介して前記通水路２１に連通する空間凹部３１を有するローター３０と、前記主軸２０の前半部に着脱自在に組付き、前記主軸２０の通水路２１を塞ぐストッパー４０とからなるものである。
【０００９】
そして、前記ローター３０に、前記空間凹部３１から斜め後方に鋭角な傾斜角度αで穿設され、該ローター３０に一方向への回転力と推進力を与える主噴射通路３２を一つまたは複数設けると共に、前記空間凹部３１から前記鋭角な傾斜角度αより大きな傾斜角度βで穿設され、前記ローター３０の一方向への回転力を抑制する副噴射通路３３を設けてある。
【００１０】
請求項２に記載の発明は、排水管１の中を回転しながら前進し、高圧噴射水で前記排水管１の内部を洗浄する洗浄ノズルであって、通水路２１を有する筒状で、後半部がホース２に接続され、前半部の周壁に前記通水路２１に連通する孔部２２を穿設した主軸２０と、前記主軸２０の前半部に回転自在に嵌合し、内周面の中央部分に前記孔部２２を介して前記通水路２１に連通する空間凹部３１を有するローター３０と、前記主軸２０の前半部に着脱自在に組付き、前記主軸２０の通水路２１を塞ぐストッパー４０とからなるものである。
【００１１】
そして、前記ローター３０に、前記空間凹部３１から斜め後方に鋭角な傾斜角度αで穿設され、該ローター３０に一方向への回転力と推進力を与える主噴射通路３２を一つまたは複数設けると共に、前記空間凹部３１から前記鋭角な傾斜角度αより大きな傾斜角度βで穿設され、前記ローター３０の一方向への回転力を抑制する副噴射通路３３を設ける。また、前記ローター３０とストッパー４０との間にスペーサー５０を設け、前記ストッパー４０の先端部に、前記ローター３０より小径で球形のガイド部４１を設ける。なお、スペーサー５０は、テフロン製が好ましい。
【００１２】
請求項３に記載の発明は、請求項１または２に記載の発明において、ストッパー４０のガイド部４１に、曲折した排水管１内の通過を容易にすべく、案内部材６０を装着してなるものである。
【発明の効果】
【００１３】
請求項１に記載の発明は、主軸２０とローター３０とストッパー４０とからなり、ローター３０に、その空間凹部３１から斜め後方に鋭角な傾斜角度αで、当該ローター３０に一方向への回転力と推進力を与える主噴射通路３２を一つまたは複数設けると共に、鋭角な傾斜角度αより大きな傾斜角度βで、前記ローター３０の一方向への回転力を抑制する副噴射通路３３を設けたので、排水管１内部の汚れを確実に除去することができる。
【００１４】
すなわち、主噴射通路３２から噴射される高圧噴射水の働きによって、ローター３０は回転しながら前進するので、当該主噴射通路３２および副噴射通路３３の両方から噴射される高圧噴射水は、排水管１内部の全面に衝突する。従って、従来技術のように回転しないで単に前進するのとは異なり、全ての汚れを確実に取り除くことができる。
【００１５】
また、主噴射通路３２から噴射される高圧噴射水によってローター３０は一方向に回転するが、この回転力を何ら抑制しないと回転数が高くなり過ぎてローター３０と主軸２０等の金属同士のいわゆる食い付きが発生して円滑な回転が持続せず、その結果、洗浄効果が低下してしまう。本発明では、副噴射通路３３によって、ローター３０の回転力を抑制するので、こうした問題を未然に防止し、汚れを長時間連続して除去することができる。
【００１６】
請求項２に記載の発明は、請求項１に記載の発明と同様に、排水管１内部の汚れを確実に除去することができると共に、ローター３０とストッパー４０との間にスペーサー５０を設けているので、ローター３０の回転をより円滑なものとすることができる。これにより、排水管内部の汚れをさらに効果的に取り除くことができる。
【００１７】
また、ストッパー４０の先端部に、ローター３０より小径でかつ球形のガイド部４１を設けているので、このガイド部４１のはたらきによってローター３０が排水管１の内部を円滑に前進することができる。よって、排水管１内部の汚れをさらに良好に除去することができる。
【００１８】
請求項３に記載の発明は、ストッパー４０のガイド部４１に、曲折した排水管１内の通過を容易にすべく、案内部材６０を装着しているので、排水管１のコーナー部より奥に至るまで、汚れを良好に取り除くことができる。
【発明を実施するための最良の形態】
【００１９】
本発明に係る排水管洗浄ノズル１０の第一実施形態を、図１乃至図４に示す。
これは、家庭のディスポーザー（生ゴミ粉砕器）を備えた台所における排水管１の中を回転しながら前進し、高圧噴射水で排水管１の内部に堆積した卵の殻や油脂類などの汚物を洗浄する洗浄ノズルであり、主軸２０、ローター３０およびストッパー４０で構成される。
【００２０】
主軸２０は、その長手方向の中心部にわたって通水路２１を有する筒状で、後半部が、可撓性高圧ホース２に接続される。また、前半部の周壁に通水路２１に連通する孔部２２を対向して二つ穿設している。なお、主軸２０の中間部にはフランジ部２３を設けている。
【００２１】
ステンレス鋼，真ちゅう又はテフロン製のローター３０は、主軸２０の前半部に回転自在に嵌合し、内周面の中央部分に孔部２２を介して通水路２１に連通する空間凹部３１を有する。また、ストッパー４０は、主軸２０の前半部に着脱自在に螺合組付きする無垢状であり、主軸２０の通水路２１を塞ぐ。
【００２２】
そして、ローター３０に、その空間凹部３１から斜め後方に鋭角な傾斜角度α（ここでは、５５°〜６０°）で、当該ローター３０に反時計回り方向への回転力と前方への推進力を与える主噴射通路３２を対向して二つ設けている。また、空間凹部３１から、鋭角な傾斜角度αより大きな傾斜角度β（９０°）で、ローター３０に時計回り方向への回転力を与え、反時計回り方向への回転力を抑制する副噴射通路３３を対向して二つ設けている。副噴射通路３３の出口には、高圧噴射水の噴射方向を考慮し、その表面が真円となるようにザグリ３４を形成している。
【００２３】
なお、本実施形態では、図２に示すように、ローター３０に反時計回り方向への回転力を与えるために、主噴射通路３２を、空間凹部３１の左右端部から中心線Ｌに対して垂直方向に向けて形成している。また、ローター３０に時計回り方向への回転力を与えるために（反時計回り方向への回転力を抑えるために）、副噴射通路３３を、空間凹部３１の左右周端部から同じく中心線Ｌから垂直方向に向けて形成している。
【００２４】
さらに、ローター３０とストッパー４０との間にテフロン製のスペーサー５０を設けている。また、ストッパー４０の先端部に、ローター３０より小径で球形のガイド部４１を設けている。
【００２５】
本実施形態における排水管洗浄ノズル１０は、ローター３０に、主噴射通路３２と副噴射通路３３を設けているので、排水管１内部の汚れを確実に除去することができる。すなわち、主噴射通路３２から噴射される高圧噴射水の働きによって、ローター３０は回転しながら前進するので、当該主噴射通路３２および副噴射通路３３の両方から噴射される高圧噴射水は、排水管１内部の全面に衝突する。従って、全ての汚れが確実に除去される。
【００２６】
また、主噴射通路３２から噴射される高圧噴射水によってローター３０は反時計回り方向に回転するが、この回転力を、副噴射通路３３によって抑制するので、ローター３０と主軸２０の食い付きが未然に防止され、汚れを長時間連続して除去することができる。
【００２７】
さらに、ローター３０とストッパー４０との間にテフロン製のスペーサー５０を設けているので、ローター３０の回転をより円滑なものとすることができ、排水管内部の汚れをさらに効果的に取り除くことが可能となっている。なお、ローター３０とスペーサー５０は、消耗後、主軸２０から簡単に取り外して交換することができる。
【００２８】
また、ストッパー４０の先端部に、ローター３０より小径でかつ球形のガイド部４１を設けているので、このガイド部４１が、ローター３０を、例えば、直角に曲折した排水管１内部の奥深くまで円滑に案内する。従って、排水管１内部の汚れをさらに良好に除去することができる。
【００２９】
なお、本実施形態では、図４に示すように、ストッパー４０のガイド部４１に、ジグザグに曲折した排水管１内の通過を容易にすべく、複数の案内部材６０を直列状に装着している。この複数の案内部材６０は、湾曲状に９０°に折れ曲がる。これによって、排水管１の９０度のコーナー部より先の奥に至るまで、汚れを良好に取り除くことができる。
【００３０】
本発明に係る排水管洗浄ノズル１０の第二実施形態を、図５乃至図７に示す。
この洗浄ノズル１０は、主噴射通路３２を斜め後方に鋭角な傾斜角度α（３０°）で形成すると共に、副噴射通路３３をそれより大きな傾斜角度β（４５°）で形成している。また、主噴射通路３２の口径を、副噴射通路３３のそれよりやや大きく設定している。これにより、第一実施形態と同様に、ローター３０の回転を適度に抑制して当該ローター３０と主軸２０との食い付きを防止し、排水管１の内部の汚れを効果的に除去することができる。
【００３１】
なお、上記二つの本実施形態においては、主噴射通路３２および副噴射通路３３をそれぞれ二つずつ設けているが、これによって、各通路からの高圧噴射水を強力なものとすることができ、排水管内部の汚れを、より効果的に除去することができる。ちなみに、各通路の数を増やすと（例えば、従来技術のように８個設けると）、各通路から噴射される噴射水の圧力が低下し、汚れを確実に落とすことができなくなる。
【００３２】
また、上記実施形態においては、主噴射通路３２の口径を、副噴射通路３３の口径よりも大きく設定しているが、本発明はこれに限定されるものではなく、前者を後者より小さくしたり、また、同一に設定することもできる。また、主噴射通路３２および副噴射通路３３の傾斜角度α，βも適宜設定することができる。これらは、希望するローター３０の回転数や前進速度によって適宜設定することができる。
【実施例】
【００３３】
表１は、副噴射口を設けない比較例と、副噴射口を設けた実施例との比較表である。
【００３４】
【表１】
2006239637.tif 000003
【図面の簡単な説明】
【００３５】
【図１】本発明に係る排水管洗浄ノズルの第一実施形態を示す側面半断面図である。
【図２】図１に示す排水管洗浄ノズルの右正面図（後面図）である。
【図３】図１に示す排水管洗浄ノズルのローターを示す縦断面図である。
【図４】図１に示す排水管洗浄ノズルに案内部材が取り付けられた状態を示す側面図である。
【図５】本発明に係る排水管洗浄ノズルの第二実施形態を示す側面半断面図である。
【図６】図５に示す排水管洗浄ノズルの右正面図（後面図）である。
【図７】図５に示す排水管洗浄ノズルのローターを示す縦断面図である。
【符号の説明】
【００３６】
１        排水管
２        ホース
１０      排水管洗浄ノズル
２０      主軸
２１      通水路
２２      孔部
２３      フランジ部
３０      ローター
３１      空間凹部
３２      主噴射通路
３３      副噴射通路
３４      ザグリ
４０      ストッパー
４１      ガイド部
５０      スペーサー
６０      案内部材
Ｌ        中心線
α        傾斜角度
β        傾斜角度
【図１】
2006239637.tif 000004
【図２】
2006239637.tif 000005
【図３】
2006239637.tif 000006
【図４】
2006239637.tif 000007
【図５】
2006239637.tif 000008
【図６】
2006239637.tif 000009
【図７】
2006239637.tif 000010
【手続補正書】
【提出日】平成17年5月27日(2005.5.27)
【手続補正１】
【補正対象書類名】明細書
【補正対象項目名】００１１
【補正方法】変更
【補正の内容】
【００１１】
そして、前記ローター３０に、前記空間凹部３１から斜め後方に鋭角な傾斜角度αで穿設され、該ローター３０に一方向への回転力と推進力を与える主噴射通路３２を一つまたは複数設けると共に、前記空間凹部３１から前記鋭角な傾斜角度αより大きな傾斜角度βで穿設され、前記ローター３０の一方向への回転力を抑制する副噴射通路３３を設ける。また、前記ローター３０とストッパー４０との間にスペーサー５０を設け、前記ストッパー４０の先端部に、前記ローター３０より小径で球形のガイド部４１を設ける。なお、スペーサー５０は、四フッ化エチレン樹脂が好ましい。
【手続補正２】
【補正対象書類名】明細書
【補正対象項目名】００２１
【補正方法】変更
【補正の内容】
【００２１】
ステンレス鋼，真ちゅう又は四フッ化エチレン樹脂のローター３０は、主軸２０の前半部に回転自在に嵌合し、内周面の中央部分に孔部２２を介して通水路２１に連通する空間凹部３１を有する。また、ストッパー４０は、主軸２０の前半部に着脱自在に螺合組付きする無垢状であり、主軸２０の通水路２１を塞ぐ。
【手続補正３】
【補正対象書類名】明細書
【補正対象項目名】００２４
【補正方法】変更
【補正の内容】
【００２４】
さらに、ローター３０とストッパー４０との間に四フッ化エチレン樹脂のスペーサー５０を設けている。また、ストッパー４０の先端部に、ローター３０より小径で球形のガイド部４１を設けている。
【手続補正４】
【補正対象書類名】明細書
【補正対象項目名】００２７
【補正方法】変更
【補正の内容】
【００２７】
さらに、ローター３０とストッパー４０との間に四フッ化エチレン樹脂のスペーサー５０を設けているので、ローター３０の回転をより円滑なものとすることができ、排水管内部の汚れをさらに効果的に取り除くことが可能となっている。なお、ローター３０とスペーサー５０は、消耗後、主軸２０から簡単に取り外して交換することができる。